(57)【特許請求の範囲】
【請求項１】
原稿を積載する原稿台から読み取り台に原稿を搬送するオートフィーダー手段と、
前記読み取り台上の原稿を読み取る読み取り手段と、
前記読み取り手段により読み取られた画像信号を出力画像信号に変換する画像信号変換手段と、
前記画像信号変換手段により変換された出力画像信号に基づき記録媒体に画像形成するハードコピー出力手段と、
前記原稿台と前記読み取り台の間に設けられ、原稿の裏面を読み取って両面原稿であることを判別する両面原稿検知手段と、
前記両面原稿検知手段よりも前記読み取り台寄りに設けられ、前記オートフィーダー手段により搬送される原稿の先端を検知する先端検知手段と、
前記両面原稿検知手段よりも前記原稿台寄りに設けられ、前記オートフィーダー手段により搬送される原稿の終端を検知する終端検知手段と、を有し、
前記両面原稿検知手段は、前記先端検知手段の検知結果に基づいて、原稿の先端より内側から原稿の裏面の読み取りを開始し、前記終端検知手段の検知結果に基づいて、原稿の終端の手前で読み取りを終了し、
前記オートフィーダー手段は、前記両面原稿検知手段が両面原稿であると判別した場合は、表面の画像が読み取られた原稿の表裏を反転して再度原稿を前記読み取り台に搬送することを特徴とする複写機。
【請求項２】
前記両面原稿検知手段は、原稿搬送方向に直交する方向に配置されたラインセンサーであり、原稿の両端よりも内側を走査するように配置されていることを特徴とする請求項１に記載の複写機。
【発明の詳細な説明】
【０００１】
【発明の属する技術分野】
本発明は、原稿を読み取り台に自動的に配置して画像をスキャナーで読み取りハードコピー出力する複写機の技術分野に屈するものである。
【０００２】
【従来の技術】
複写機には様々な形態のものがあり、その中には図４に示すように複写機本体２１にオートフィーダーと呼ばれるユニット１を有するものがある。
【０００３】
このオートフィーダー１は、セットされた原稿を読み取り台に自動的に配置するもので、枚数の多い原稿をコピーするときに大変便利なものである。また、両面コピー機能を有する複写機では、原稿の裏面を自動的に読み取れるよう、オートフィーダーが原稿を反転して読み取り台に再配置するようになっている。
【０００４】
【発明が解決しようとする課題】
しかしながら、上記従来例では、原稿の中に片面原稿と両面原稿が混在している場合、両面コピーモードを指定すると、両面コピーの必要のない片面原稿まで両面コピーするので、コピーに要する時間が長引くという問題があった。また、両面コピーモードを指定することをうっかり忘れてしまい、必要な情報をコピーし損なうという問題があった。
【０００５】
本発明は、前記従来の問題点を解消するために成されたもので、両面原稿と片面原稿が混ざっていても自動的に間違いなく能率よくコピーできる複写機の提供を目的とするものである。
【０００６】
【課題を解決するための手段】
前記目的を達成するため、本発明では、複写機を次の（１）、（２）のとおりに構成する。
（１）原稿を積載する原稿台から読み取り台に原稿を搬送するオートフィーダー手段と、
前記読み取り台上の原稿を読み取る読み取り手段と、
前記読み取り手段により読み取られた画像信号を出力画像信号に変換する画像信号変換手段と、
前記画像信号変換手段により変換された出力画像信号に基づき記録媒体に画像形成するハードコピー出力手段と、
前記原稿台と前記読み取り台の間に設けられ、原稿の裏面を読み取って両面原稿であることを判別する両面原稿検知手段と、
前記両面原稿検知手段よりも前記読み取り台寄りに設けられ、前記オートフィーダー手段により搬送される原稿の先端を検知する先端検知手段と、
前記両面原稿検知手段よりも前記原稿台寄りに設けられ、前記オートフィーダー手段により搬送される原稿の終端を検知する終端検知手段と、を有し、
前記両面原稿検知手段は、前記先端検知手段の検知結果に基づいて、原稿の先端より内側から原稿の裏面の読み取りを開始し、前記終端検知手段の検知結果に基づいて、原稿の終端の手前で読み取りを終了し、
前記オートフィーダー手段は、前記両面原稿検知手段が両面原稿であると判別した場合は、表面の画像が読み取られた原稿の表裏を反転して再度原稿を前記読み取り台に搬送することを特徴とする複写機。
（２）前記両面原稿検知手段は、原稿搬送方向に直交する方向に配置されたラインセンサーであり、原稿の両端よりも内側を走査するように配置されていることを特徴とする前記（１）に記載の複写機。
【００１１】
【発明の実施の形態】
前記課題を解決するため、本発明の複写機は、原稿を読み取り台に自動的に配置する手段と、原稿をスキャナーで読み取る手段と、読み取った画像信号を出力信号に変換する手段と、変換された出力画像信号をハードコピー出力する手段と、原稿が両面原稿であることを判別する手段とを有することを特徴とする。
【００１２】
そして、原稿の中に片面原稿と両面原稿が混在している場合には、両面原稿だけを自動的に両面コピーするようにしたものである。
【００１３】
詳細は、実施例によって説明する。
【００１４】
【実施例】
本発明の実施例は、前記説明のオートフィーダーを有している複写機であって、両面原稿と片面原稿が混ざっていても自動的に間違いなく能率よくコピーできる構成を有している。この特徴ある構成部分を図面参照して説明する。
【００１５】
図１は、本発明実施例の特徴を最もよく表すオートフィーダーの断面図である。同図において、１はオートフィーダー、２は原稿台、３は給紙ローラー、４は本発明に係る両面原稿検知器、５は搬送ベルト、６は反転・排紙ローラー、７は反転切り替え爪、８は複写機本体の原稿読み取り台である。
【００１６】
本実施例が備える上記構成のオートフィーダー１の働きを説明する。
【００１７】
原稿台２に表を上にして置かれた原稿は給紙ローラー３によって一枚づつ分離給紙されるが、このとき、両面原稿検知器４によって原稿の裏面を読み取り、その反射光量が部分的に所定の値を下回っている場合、給紙された原稿を両面原稿と判定する。その後、原稿は搬送ベルト５によって所定の読み取り位置にセットされ、図示してないスキャナによって露光走査される。
【００１８】
露光走査が完了すると、両面原稿検知器４によって片面原稿と判定された場合は、給紙時とは逆方向に動く搬送ベルト５および反転・排紙ローラー６によって原稿台２へと排紙され、次の原稿の給紙動作が開始される。両面原稿と判定された場合は、自動的に反転切り替え爪７が立ち上がり、原稿は再び搬送ベルト５の方へ導かれ、反転して所定の読み取り位置にセットされ、裏面の露光走査が行われる。露光走査が完了すると、片面原稿の場合と同様にして排紙され、次の原稿の給紙動作が開始される。
【００１９】
次に、両面原稿の判別方法について図２および図３を用いて詳しく説明する。
【００２０】
図２は両面原稿検知器４の外観図であり、同図において、１１はＬＥＤアレイ、１２はＣＣＤラインセンサー、１３は原稿の先端検知用遮断型光スイッチ、１４は原稿の終端検知用遮断型光スイッチである。また、図３は両面原稿判別方法のフローチャートである。
【００２１】
図３のステップＳ１００において、両面原稿検知器４に入ってきた原稿の先端を検知すると、光スイッチ１３が遮断状態になる。そして最初に一度だけカウンタをリセットする（Ｓ１０１）。
【００２２】
そして、図２に示すＬＥＤアレイ１１によって照らされた原稿の裏面の反射光をＣＣＤラインセンサー１２で読み取る（Ｓ１０２）。読み取られた１ライン分の反射光量分布は画素ごとに二値化され（Ｓ１０３）、低反射率画素の個数がカウントされる（Ｓ１０４）。この読み取り動作を原稿の終端を検知するまで繰り返す。やがて原稿が両面原稿検知器４を通過すると、光スイッチ１４が導通状態になる。これによって原稿の終端を検知すると（Ｓ１０５）、これまで繰り返していた読み取り動作を中止し、低反射率画素の総和を算出する。そして、この総和が所定の値を超えた場合に両面原稿と判定する（Ｓ１０６）。
【００２３】
なお、誤判定を防ぐため、ＣＣＤラインセンサー１２は原稿の横幅よりやや短く、原稿の左右両端のやや内側を走査するように配置されている。同様に、光スイッチ１３はＣＣＤラインセンサー１２よりやや読み取り台寄りに、光スイッチ１４は原稿台寄りに設置されており、原稿の先端のやや内側から裏面の反射光読み取りの走査を開始して、原稿の終端の少し手前で走査を終了するようになっている。
【００２４】
なお、本発明はこの実施例に限定されてるものではない。例えば、ＬＥＤアレイは蛍光灯やハロゲンランプに置き換えてもよいし、ＣＣＤラインセンサーの長さを原稿の幅より長くして、原稿の位置と幅をＣＣＤラインセンサーによって検知した反射光量分布から求めて原稿の内側を走査するようにしてもよい。また、ミスコピーをした紙の裏面を再利用する場合を考慮して、片面コピーを標準モードとし、本発明の自動両面コピー機能はオプションとして選択できるようにしてもよいし、両面原稿であることを検知した場合に、両面原稿であることをユーザーに告知して、両面コピーをするかどうかをユーザーが決定するように構成してもよい。
【００２５】
【発明の効果】
以上説明したように、本発明によれば、原稿の中に片面原稿と両面原稿が混在している場合、両面原稿だけが自動的に両面コピーされるので、コピーに要する時間を短縮でき、しかも、必要な情報をうっかりコピーし忘れることを防止できるという効果がある複写機を提供できる。また、片面原稿か両面原稿かの判断を行う際の誤判定を防止することができる。
【図面の簡単な説明】
【図１】  本発明を実施したオートフィーダーの断面図。
【図２】  本発明を実施した両面原稿検知器。
【図３】  両面原稿の判別方法を示すフローチャート。
【図４】  オートフィーダーを有する複写機の外観。
【符号の説明】
１  オートフィーダー
４  両面原稿検知器
６  反転・排紙ローラー
７  反転切り替え爪
８  複写機本体の原稿読み取り台
１１  ＬＥＤアレイ
１２  ＣＣＤラインセンサー
１３，１４  遮断型光スイッチ
２１  複写機本体
【図１】
0003884788.tif 000002
【図２】
0003884788.tif 000003
【図３】
0003884788.tif 000004
【図４】
0003884788.tif 000005